(57)【特許請求の範囲】
【請求項１】
送り込まれる紙幣を貯留部に搬送するようにした紙幣の搬送装置において、
前記送り込まれる紙幣を第１貯留部に搬送し、かつ、先に搬送される紙幣の上に重ねるようにする第１搬送機構と、前記第１貯留部内の紙幣を貯留された状態のまま第２貯留部に搬送する第２搬送機構と、前記第２貯留部内の紙幣を該第２貯留部から落下させることで第３貯留部に搬送する第３搬送機構とを備え、
前記第３搬送機構は、前記第２貯留部の上方に上昇した後に、該第２貯留部内の紙幣と共に自然落下して、前記第２貯留部内に重ねて貯留された状態の紙幣を崩さずにそのまま前記第３貯留部に落とし込むウエイト部材を有している
ことを特徴とする紙幣の搬送装置。
【請求項２】
送り込まれる紙幣を貯留部に搬送するようにした紙幣の搬送装置において、
背後から搬入される紙幣を整列して所定の位置に送り出す整列搬送機構と、該整列搬送機構から送り込まれる紙幣を一時的に貯留した後に搬送する貯留搬送機構とを備え、
前記整列搬送機構は、背後から搬入される紙幣を落下させながら紙幣の短い方の辺縁である短辺を下方にかつ紙幣の紙面を側方に向けた姿勢に矯正する下降路と、落下した紙幣を前記短辺を先頭にして一枚ずつ送り出し可能な分離路と、該送り出された紙幣を前記短辺を上方にかつ前記紙面を側方に向けた姿勢で上昇させる上昇路とを備え、
前記貯留搬送機構は、送り込まれる紙幣を前記短辺を先頭にして前記紙面を上方に向けた姿勢で第１貯留部に搬送し、かつ、先に搬送される紙幣の上に重ねるようにする第１搬送機構と、前記第１貯留部内の紙幣を貯留された状態のまま第２貯留部に搬送する第２搬送機構と、前記第２貯留部内の紙幣を該第２貯留部から落下させることで第３貯留部に搬送する第３搬送機構とを備え、
前記第３搬送機構は、前記第２貯留部の上方に上昇した後に、該第２貯留部内の紙幣と共に自然落下して、前記第２貯留部内に重ねて貯留された状態の紙幣を崩さずにそのまま前記第３貯留部に落とし込むウエイト部材を有している
ことを特徴とする紙幣の搬送装置。
【請求項３】
前記第１搬送機構は、前記第１貯留部に紙幣を搬送するときに、紙幣の搬送方向に対して先行側の端である紙幣の前端の両端部を上方向に反らせることで、紙幣の前端部が垂れ下がるのを防止するための送りローラを有している
ことを特徴とする請求項１または２に記載の紙幣の搬送装置。
【請求項４】
前記第１搬送機構は、前記第１貯留部に搬送されてくる紙幣の周縁部を下方に掻き寄せて、該紙幣を先に搬送される紙幣の上に強制的に重ねるようにした掻き寄せ部材を有している
ことを特徴とする請求項１または２に記載の紙幣の搬送装置。
【請求項５】
前記掻き寄せ部材は回転可能に支持され、
前記掻き寄せ部材の回転中心である回転軸は、前記第１貯留部に搬送される紙幣の搬送方向と平行な方向に向かって斜め下方に延びている
ことを特徴とする請求項４に記載の紙幣の搬送装置。
【請求項６】
前記掻き寄せ部材は、前記第１貯留部に搬送される紙幣の搬送方向と平行な方向に２以上連設され、
前記２以上の掻き寄せ部材において、前記平行な方向に対し前側に位置するものほど、低い位置に配されている
ことを特徴とする請求項４または５に記載の紙幣の搬送装置。
【請求項７】
前記第１貯留部と前記第２貯留部とは隣接して配され、
前記第１貯留部の周壁において、前記第２貯留部に隣接する側の立壁は、前記第１貯留部から前記第２貯留部に通じる連通口を開閉可能に構成されている
ことを特徴とする請求項１または２に記載の紙幣の搬送装置。
【請求項８】
前記第１貯留部の周壁に、該第１貯留部内に突出し、紙幣の周縁に係止して紙幣の浮き上がりを阻止するための突起部が形成されている
ことを特徴とする請求項１または２に記載の紙幣の搬送装置。
【請求項９】
前記第２貯留部は、該第２貯留部内に紙幣を貯留可能な第１位置と、前記第２貯留部内の紙幣を落下可能な第２位置とに変位する底部材を有し、
前記底部材は、前記ウエイト部材に連動し、該ウエイト部材が落下すると前記第１位置から前記第２位置に変位する
ことを特徴とする請求項１または２に記載の紙幣の搬送装置。
【請求項１０】
前記底部材は、前記ウエイト部材が上昇すると、前記第２位置から前記第１位置に変位する
ことを特徴とする請求項９に記載の紙幣の搬送装置。
【請求項１１】
前記整列搬送機構の側方と上方とに前記第１貯留部と第４貯留部とが配され、
前記上昇路の途中にあって紙幣の良札と不良札とを検出する検知部と、前記上昇路の終端にあって紙幣の中の良札と不良札とを前記第１貯留部と前記第４貯留部とに切り替えて貯留可能にする切替機構とを備えた
ことを特徴とする請求項２に記載の紙幣の搬送装置。
【請求項１２】
送り込まれる紙幣を貯留部に搬送するようにした紙幣の搬送装置において、
前記送り込まれる紙幣を上部貯留部に搬送し、かつ、先に搬送される紙幣の上に重ねるようにする上部搬送機構と、前記上部貯留部内の紙幣を該上部貯留部から落下させることで下部貯留部に搬送する下部搬送機構とを備え、
前記下部搬送機構は、前記上部貯留部の上方に上昇した後に、該上部貯留部内の紙幣と共に自然落下して、前記上部貯留部内に重ねて貯留された状態の紙幣を崩さずにそのまま前記下部貯留部に落とし込むウエイト部材を有している
ことを特徴とする紙幣の搬送装置。
【発明の詳細な説明】
【０００１】
【発明の属する技術分野】
本発明は、送り込まれる紙幣を貯留部に搬送するようにした紙幣の搬送装置に関する。
【０００２】
【従来の技術】
従来の紙幣の搬送装置としては、例えば、送り込まれる紙幣をスタッカーに一時的に貯めておき、所定枚数貯まると、あるいは定期的に、スタッカーを開けて紙幣を係員が取り出し、取り出された紙幣を両替機などの所定の貯留部に搬送するようにしていた。
【０００３】
一方、紙幣は係員などによらずに、外部から閉じられた搬送路を通って所定の位置に搬送されることが望ましい。
【０００４】
【発明が解決しようとする課題】
しかしながら、このような従来の紙幣の搬送装置では、スタッカー内の紙幣を所定のタイミングであるいは定期的に係員が取り出す必要があるため、作業性や使い勝手が良くないという問題点があった。
【０００５】
本発明は、このような従来の問題点に着目してなされたもので、簡単な構成で確実に紙幣を所定の貯留部に搬送することができ、作業性や使い勝手の点で優れた紙幣の搬送装置を提供することを目的としている。
【０００６】
【課題を解決するための手段】
かかる目的を達成するための本発明の要旨とするところは、次の各項の発明に存する。
［１］送り込まれる紙幣（Ｂ）を貯留部に搬送するようにした紙幣（Ｂ）の搬送装置（１０）において、
前記送り込まれる紙幣（Ｂ）を第１貯留部（２０）に搬送し、かつ、先に搬送される紙幣（Ｂ）の上に重ねるようにする第１搬送機構（３０）と、前記第１貯留部（２０）内の紙幣（Ｂ）を貯留された状態のまま第２貯留部（４０）に搬送する第２搬送機構（５０）と、前記第２貯留部（４０）内の紙幣（Ｂ）を該第２貯留部（４０）から落下させることで第３貯留部（６０）に搬送する第３搬送機構（７０）とを備え、
前記第３搬送機構（７０）は、前記第２貯留部（４０）の上方に上昇した後に、該第２貯留部（４０）内の紙幣（Ｂ）と共に自然落下して、前記第２貯留部（４０）内に重ねて貯留された状態の紙幣（Ｂ）を崩さずにそのまま前記第３貯留部（６０）に落とし込むウエイト部材（８０）を有している
ことを特徴とする紙幣（Ｂ）の搬送装置（１０）。
【０００７】
［２］送り込まれる紙幣（Ｂ）を貯留部に搬送するようにした紙幣（Ｂ）の搬送装置（１０）において、
背後から搬入される紙幣（Ｂ）を整列して所定の位置に送り出す整列搬送機構（１０Ａ）と、該整列搬送機構（１０Ａ）から送り込まれる紙幣（Ｂ）を一時的に貯留した後に搬送する貯留搬送機構（１０Ｂ）とを備え、
前記整列搬送機構（１０Ａ）は、背後から搬入される紙幣（Ｂ）を落下させながら紙幣（Ｂ）の短い方の辺縁である短辺（Ｂ１）を下方にかつ紙幣（Ｂ）の紙面（Ｂ２）を側方に向けた姿勢に矯正する下降路（１００）と、落下した紙幣（Ｂ）を前記短辺（Ｂ１）を先頭にして一枚ずつ送り出し可能な分離路（１１０）と、該送り出された紙幣（Ｂ）を前記短辺（Ｂ１）を上方にかつ前記紙面（Ｂ２）を側方に向けた姿勢で上昇させる上昇路（１２０）とを備え、
前記貯留搬送機構（１０Ｂ）は、送り込まれる紙幣（Ｂ）を前記短辺（Ｂ１）を先頭にして前記紙面（Ｂ２）を上方に向けた姿勢で第１貯留部（２０）に搬送し、かつ、先に搬送される紙幣（Ｂ）の上に重ねるようにする第１搬送機構（３０）と、前記第１貯留部（２０）内の紙幣（Ｂ）を貯留された状態のまま第２貯留部（４０）に搬送する第２搬送機構（５０）と、前記第２貯留部（４０）内の紙幣（Ｂ）を該第２貯留部（４０）から落下させることで第３貯留部（６０）に搬送する第３搬送機構（７０）とを備え、
前記第３搬送機構（７０）は、前記第２貯留部（４０）の上方に上昇した後に、該第２貯留部（４０）内の紙幣（Ｂ）と共に自然落下して、前記第２貯留部（４０）内に重ねて貯留された状態の紙幣（Ｂ）を崩さずにそのまま前記第３貯留部（６０）に落とし込むウエイト部材（８０）を有している
ことを特徴とする紙幣（Ｂ）の搬送装置（１０）。
【０００８】
［３］前記第１搬送機構（３０）は、前記第１貯留部（２０）に紙幣（Ｂ）を搬送するときに、紙幣（Ｂ）の搬送方向に対して先行側の端である紙幣（Ｂ）の前縁（Ｂ３）の両端部を上方向に反らせることで、紙幣（Ｂ）の前端部が垂れ下がるのを防止するための送りローラ（３１）を有している
ことを特徴とする［１］または［２］に記載の紙幣（Ｂ）の搬送装置（１０）。
【０００９】
［４］前記第１搬送機構（３０）は、前記第１貯留部（２０）に搬送されてくる紙幣（Ｂ）の周縁部を下方に掻き寄せて、該紙幣（Ｂ）を先に搬送される紙幣（Ｂ）の上に強制的に重ねるようにした掻き寄せ部材（３２）を有している
ことを特徴とする［１］または［２］に記載の紙幣（Ｂ）の搬送装置（１０）。
【００１０】
［５］前記掻き寄せ部材（３２）は回転可能に支持され、
前記掻き寄せ部材（３２）の回転中心である回転軸（３３）は、前記第１貯留部（２０）に搬送される紙幣（Ｂ）の搬送方向と平行な方向に向かって斜め下方に延びている
ことを特徴とする［４］に記載の紙幣（Ｂ）の搬送装置（１０）。
【００１１】
［６］前記掻き寄せ部材（３２）は、前記第１貯留部（２０）に搬送される紙幣（Ｂ）の搬送方向と平行な方向に２以上連設され、
前記２以上の掻き寄せ部材（３２）において、前記平行な方向に対し前側に位置するものほど、低い位置に配されている
ことを特徴とする［４］または［５］に記載の紙幣（Ｂ）の搬送装置（１０）。
【００１２】
［７］前記第１貯留部（２０）と前記第２貯留部（４０）とは隣接して配され、
前記第１貯留部（２０）の周壁（２１）において、前記第２貯留部（４０）に隣接する側の立壁は、前記第１貯留部（２０）から前記第２貯留部（４０）に通じる連通口（２２）を開閉可能に構成されている
ことを特徴とする［１］または［２］に記載の紙幣（Ｂ）の搬送装置（１０）。
【００１３】
［８］前記第１貯留部（２０）の周壁（２１）に、該第１貯留部（２０）内に突出し、紙幣（Ｂ）の周縁に係止して紙幣（Ｂ）の浮き上がりを阻止するための突起部（２３）が形成されている
ことを特徴とする［１］または［２］に記載の紙幣（Ｂ）の搬送装置（１０）。
【００１４】
［９］前記第２貯留部（４０）は、該第２貯留部（４０）内に紙幣（Ｂ）を貯留可能な第１位置と、前記第２貯留部（４０）内の紙幣（Ｂ）を落下可能な第２位置とに変位する底部材（４１）を有し、
前記底部材（４１）は、前記ウエイト部材（８０）に連動し、該ウエイト部材（８０）が落下すると前記第１位置から前記第２位置に変位する
ことを特徴とする［１］または［２］に記載の紙幣（Ｂ）の搬送装置（１０）。
【００１５】
［１０］前記底部材（４１）は、前記ウエイト部材（８０）が上昇すると、前記第２位置から前記第１位置に変位する
ことを特徴とする［９］に記載の紙幣（Ｂ）の搬送装置（１０）。
【００１６】
［１１］前記整列搬送機構（１０Ａ）の側方と上方とに前記第１貯留部（２０）と第４貯留部（１５０）とが配され、
前記上昇路（１２０）の途中にあって紙幣（Ｂ）の良札と不良札とを検出する検知部（１３０）と、前記上昇路（１２０）の終端にあって紙幣（Ｂ）の中の良札と不良札とを前記第１貯留部（２０）と前記第４貯留部（１５０）とに切り替えて貯留可能にする切替機構（１４０）とを備えた
ことを特徴とする［２］に記載の紙幣（Ｂ）の搬送装置（１０）。
【００１７】
［１２］送り込まれる紙幣（Ｂ）を貯留部に搬送するようにした紙幣の搬送装置（１０）において、
前記送り込まれる紙幣（Ｂ）を上部貯留部（２０、４０）に搬送し、かつ、先に搬送される紙幣の上に重ねるようにする上部搬送機構（３０）と、前記上部貯留部（２０、４０）内の紙幣を該上部貯留部（２０、４０）から落下させることで下部貯留部（６０）に搬送する下部搬送機構（７０）とを備え、
前記下部搬送機構（７０）は、前記上部貯留部（２０、４０）の上方に上昇した後に、該上部貯留部（２０、４０）内の紙幣と共に自然落下して、前記上部貯留部（２０、４０）内に重ねて貯留された状態の紙幣（Ｂ）を崩さずにそのまま前記下部貯留部（６０）に落とし込むウエイト部材（８０）を有している
ことを特徴とする紙幣（Ｂ）の搬送装置（１０）。
【００１８】
次に、前記各項に記載された発明の作用について説明する。
紙幣（Ｂ）は次々に送り込まれてくる。第１搬送機構（３０）は、送り込まれる紙幣（Ｂ）を第１貯留部（２０）に搬送する。搬送される紙幣（Ｂ）は、先に第１貯留部（２０）に搬送された紙幣（Ｂ）の上に重なるようになる。このようにして、紙幣（Ｂ）は第１貯留部（２０）に貯留される。
【００１９】
第２搬送機構（５０）は、第１貯留部（２０）内の紙幣（Ｂ）を貯留された状態のまま第２貯留部（４０）に搬送する。このとき、紙幣（Ｂ）の第１貯留部（２０）内への搬送は一時的に中断され、紙幣（Ｂ）の第２貯留部（４０）への搬送が終了した後に、再開される。
【００２０】
次に、第３搬送機構（７０）は、第２貯留部（４０）内の紙幣（Ｂ）を第２貯留部（４０）から落下させることで第３貯留部（６０）に搬送する。具体的には、紙幣（Ｂ）が第２貯留部（４０）に搬送される前後に、ウエイト部材（８０）を第２貯留部（４０）の上方に上昇させ、ウエイト部材（８０）を紙幣（Ｂ）と共に自然落下させる。紙幣（Ｂ）の落下時において、貯留された状態から崩れようとする紙幣（Ｂ）をウエイト部材（８０）が上方から抑えて、紙幣（Ｂ）は貯留された状態のまま第３貯留部（６０）に落とし込まれる。第３貯留部（６０）に整然と積み重ねられていく。
【００２１】
紙幣（Ｂ）の搬送装置（１０）が背後から搬入される紙幣（Ｂ）を整列して所定の位置に送り出す整列搬送機構（１０Ａ）と、該整列搬送機構（１０Ａ）から送り込まれる紙幣（Ｂ）を一時的に貯留した後に搬送する貯留搬送機構（１０Ｂ）とを備えたものでは、整列搬送機構（１０Ａ）は次のように機能する。
【００２２】
すなわち、背後から搬入される紙幣（Ｂ）は、下降路（１００）中を落下しながら紙幣（Ｂ）の短い方の辺縁である短辺（Ｂ１）を下方にかつ紙幣（Ｂ）の紙面（Ｂ２）を側方に向けた姿勢に次第に矯正される。このように落下した紙幣（Ｂ）は、分離路（１１０）により、短辺（Ｂ１）を先頭にして一枚ずつ送り出される。送り出された紙幣（Ｂ）は、短辺（Ｂ１）を上方にかつ紙面（Ｂ２）を側方に向けた姿勢で上昇路（１２０）を上昇する。このように上昇した紙幣（Ｂ）が貯留搬送機構（１０Ｂ）の第１貯留部（２０）に搬送される。
【００２３】
第１搬送機構（３０）は、第１貯留部（２０）内に紙幣（Ｂ）を積み重ねていき、この積み重ねられて高くなった紙幣（Ｂ）の上に新たな紙幣（Ｂ）を重ねる必要がある。このとき、送りローラ（３１）は、紙幣（Ｂ）の搬送方向に対して先行側の端である紙幣（Ｂ）の前縁（Ｂ３）の両端部を上方向に反らせる。このように、紙幣（Ｂ）の前縁（Ｂ３）の両端部を反らせたものは、紙幣（Ｂ）の前縁（Ｂ３）を真っ直ぐなままのものに比して、その断面係数が高くなり、紙幣（Ｂ）の前端部が垂れ下り難くすることができる。それにより、重ねられて高くなった紙幣（Ｂ）に新たな紙幣（Ｂ）の前縁（Ｂ３）が干渉することなく、新たな紙幣（Ｂ）を次々に重ねることができる。
【００２４】
また、第１搬送機構（３０）は掻き寄せ部材（３２）を有している。掻き寄せ部材（３２）は第１貯留部（２０）の周りに配されている。掻き寄せ部材（３２）は、第１貯留部（２０）に搬送されてくる紙幣（Ｂ）の周縁部を下方に掻き寄せて、その紙幣（Ｂ）を先に搬送される紙幣（Ｂ）の上に強制的に重ねるようにする。
【００２５】
さらに、掻き寄せ部材（３２）は回転可能に支持されるものである。回転する掻き寄せ部材（３２）が紙幣（Ｂ）の周縁部を下方に掻き寄せるべく、掻き寄せ部材（３２）の回転軸（３３）は、第１貯留部（２０）に搬送される紙幣（Ｂ）の搬送方向とほぼ平行な方向に延びている。ここで、紙幣（Ｂ）は第１貯留部（２０）に搬送されていくに従って、その自重で紙幣（Ｂ）の後端部から前縁（Ｂ３）にかけて斜めに下がる傾向にある。
【００２６】
そこで、掻き寄せ部材（３２）の回転軸（３３）をその平行な方向に向かって斜め下方に延ばすようにすれば、掻き寄せ部材（３２）が、紙幣（Ｂ）の周縁部に対して直角に掛かるようになり、紙幣（Ｂ）の周縁部を的確に掻き寄せることができるようになる。
【００２７】
また、第１貯留部（２０）に搬送される紙幣（Ｂ）の搬送方向と平行な方向に２以上の掻き寄せ部材（３２）を連設する場合には、前記平行な方向に対し前側に位置するものほど、低い位置に配されていることで、同じく、紙幣（Ｂ）がその自重で紙幣（Ｂ）の後端部から前縁（Ｂ３）にかけて斜めに下がりながら第１貯留部（２０）に搬送されるとき、各掻き寄せ部材（３２）が紙幣（Ｂ）の周縁部に沿って配されているから、紙幣（Ｂ）の周縁部に確実に掛かるようになり、紙幣（Ｂ）の周縁部を的確に掻き寄せることができるようになる。
【００２８】
第１貯留部（２０）と第２貯留部（４０）とが隣接して配されているものでは、第１貯留部（２０）内の紙幣（Ｂ）は貯留された状態のまま隣接する第２貯留部（４０）に平行移動される。このとき、第１貯留部（２０）の周壁（２１）において、第２貯留部（４０）に隣接する側の立壁は、第１貯留部（２０）から第２貯留部（４０）に通じる連通口（２２）を開閉可能に構成され、紙幣（Ｂ）を第２貯留部（４０）へ搬送する時には連通口（２２）は開かれ、紙幣（Ｂ）を第１貯留部（２０）へ搬送する時には連通口（２２）が閉じられる。
【００２９】
また、第１貯留部（２０）の周壁（２１）には突起部（２３）が形成され、その突起部（２３）が第１貯留部（２０）内に突出し、紙幣（Ｂ）の周縁に係止して紙幣（Ｂ）の浮き上がりを阻止するようになっている。突起部（２３）は所定の高さ位置に１つ設けられていてもよく、上下方向に所定の間隔で複数設けられていても良い。
【００３０】
第２貯留部（４０）の底を形成する底部材（４１）は、第２貯留部（４０）内に紙幣（Ｂ）を貯留可能な第１位置と、第２貯留部（４０）内の紙幣（Ｂ）を落下可能な第２位置とに変位する。また、底部材（４１）はウエイト部材（８０）に連動する。
【００３１】
すなわち、ウエイト部材（８０）が落下すると、底部材（４１）は第１位置から前記第２位置に変位し、紙幣（Ｂ）を落下可能にし、紙幣（Ｂ）はウエイト部材（８０）と共に落下する。また、ウエイト部材（８０）が上昇すると、底部材（４１）は第２位置から前記第１位置に変位する。それにより、第２貯留部（４０）の底が形成される。
【００３２】
そして、第１貯留部（２０）に貯留された紙幣（Ｂ）が第２貯留部（４０）に搬送可能になり、実際に第２貯留部（４０）に搬送されると、上昇していたウエイト部材（８０）が所定のタイミングで落下するようになる。
【００３３】
搬送されてくる紙幣（Ｂ）の中には良札と不良札とが存在する。紙幣（Ｂ）が上昇する上昇路（１２０）の途中にある検知部（１３０）は、紙幣（Ｂ）の良札と不良札とを検出する。上昇路（１２０）の終端には切替機構（１４０）が設けられ、切替機構（１４０）は、良札と不良札とを第１貯留部（２０）と第４貯留部（１５０）とに切り替えて貯留可能にする。切替機構（１４０）により、良札が第１貯留部（２０）から第２貯留部（４０）を経て、第３貯留部（６０）に貯留されることになり、例えば、第３貯留部（６０）を両替機に接続すれば、良札を循環させて使用することができるとともに、外部から閉じられた紙幣（Ｂ）の搬送路を形成することができる。
【００３４】
第１貯留部（２０）と第２貯留部（４０）とを別々にしないで上部貯留部の一つにまとめて構成してもよい。このように、２つの貯留部を一つに集約することで、装置全体を小型にすることができる。
【００３５】
【発明の実施の形態】
以下、図面に基づき本発明の一実施の形態を説明する。
各図は本発明の一実施の形態を示している。
図２は本実施の形態に係る紙幣の搬送装置の設置状態を示す斜視図、図３は同じく搬送装置の正面図であり、搬送装置の中の整列搬送機構についてはその内部を示す図である。
【００３６】
図２および図３に示すように、紙幣Ｂの搬送装置１０は、背後から搬入される紙幣Ｂを整列して所定の位置に送り出す整列搬送機構１０Ａと、該整列搬送機構１０Ａから送り込まれる紙幣Ｂを一時的に貯留した後に搬送する貯留搬送機構１０Ｂとを備えている。
【００３７】
搬送装置１０は、遊技島１の島端２に設けられている。遊技島１の両側面には、図示省略した遊技機の複数が連設されている。隣接する遊技機の間には玉貸し機（図示省略）が設けられている。また、背中合わせの遊技機の間には、玉貸し機から投入された紙幣Ｂを紙幣Ｂの短い方の辺縁である短辺Ｂ１を先頭にして、紙幣Ｂの紙面Ｂ２を水平方向に向けた姿勢で島端２の搬送装置１０に搬送するための搬送路３が配設されている。搬送路３の終端部が、整列搬送機構１０Ａの背面に開設された紙幣取込口１０１に接続されている。
【００３８】
整列搬送機構１０Ａは、紙幣取込口１０１を通って背後から搬入される紙幣Ｂを落下させながら紙幣Ｂの短辺Ｂ１を下方にかつ紙幣Ｂの紙面Ｂ２を側方に向けた姿勢に矯正する下降路１００と、落下した紙幣Ｂを短辺Ｂ１を先頭にして一枚ずつ送り出し可能な分離路１１０と、送り出された紙幣Ｂを短辺Ｂ１を上方にかつ紙面Ｂ２を側方に向けた姿勢で上昇させる上昇路１２０とを備えている。
【００３９】
分離路１１０は、後退ベルトと進行ベルト（共に図示省略）とを対向させ、両方のベルト間に重なった状態に搬入された紙幣Ｂにおいて、進行ベルト側の紙幣Ｂのみを送り出すようにしたものである。後退ベルトおよび進行ベルトは、後退ローラや進行ローラであってもよい。また、上昇路１２０は、送りベルト１２１と従動ローラ１２２とを有している。紙幣は送りベルト１２１と従動ローラ１２２との間の隙間を上昇する。送りベルト１２１を挟んで従動ローラ１２２とは反対側にバックアップローラ１２３が設けられている。送りベルト１２１は、上部プーリ１２４と下部プーリ１２５との間に掛け渡されている。
【００４０】
図１は搬送装置の貯留搬送機構の内部を示す側面図、図４は同じく貯留搬送機構の内部を示す正面図であり、送り込まれる紙幣を第１貯留部に搬送している時の図である。
【００４１】
図１〜図４に示すように、貯留搬送機構１０Ｂは、送り込まれる紙幣Ｂを短辺Ｂ１を先頭にして紙面Ｂ２を上方に向けた姿勢で第１貯留部２０に搬送し、かつ、先に搬送される紙幣Ｂの上に重ねるようにする第１搬送機構３０と、第１貯留部２０内の紙幣Ｂを貯留された状態のまま第２貯留部４０に搬送する第２搬送機構５０と、第２貯留部４０内の紙幣Ｂを該第２貯留部４０から落下させることで第３貯留部６０に搬送する第３搬送機構７０とを備えている。また、第３搬送機構７０は、第２貯留部４０内の紙幣Ｂの上方に上昇した後に、紙幣Ｂと共に自然落下するウエイト部材８０を有している。
【００４２】
具体的には、第１搬送機構３０は、前記第１貯留部２０に紙幣Ｂを搬送するときに、紙幣Ｂの搬送方向に対して先行側の端である紙幣Ｂの前縁Ｂ３の両端部を上方向に反らせることで、紙幣Ｂの前端部が垂れ下がるのを防止するための送りローラ３１を有している。送りローラ３１は中高のローラであり、中高部から両端に各々かかる面が傾斜面になっている。送りローラ３１の各傾斜面には、従動ローラ３４が対向して設けられている。また、各従動ローラ３４は各傾斜面に接する方向に付勢されている。送り込まれる紙幣Ｂは、送りローラ３１と従動ローラ３４との間の隙間を通って第１貯留部２０に搬送されることになる。
【００４３】
また、第１搬送機構３０は、前記第１貯留部２０に搬送されてくる紙幣Ｂの周縁部を下方に掻き寄せて、該紙幣Ｂを先に搬送される紙幣Ｂの上に強制的に重ねるようにした掻き寄せ部材３２を有している。掻き寄せ部材３２には、弾性片３５が周方向に連設されている。弾性片３５はゴム材、マイラー材、フィルム材などから加工され、紙幣Ｂの周縁部に直接的に係止し、紙幣Ｂ以外からの力を受けて変形し、力を受けないと復元するものである。
【００４４】
掻き寄せ部材３２は、第１貯留部２０に送り込まれる紙幣Ｂの前縁Ｂ３とは反対側の短辺Ｂ１を掻き寄せるとともに、紙幣Ｂの長辺の一方を掻き寄せる。
【００４５】
掻き寄せ部材３２は回転可能に支持され、掻き寄せ部材３２の回転中心である回転軸３３は、第１貯留部２０に搬送される紙幣Ｂの搬送方向と平行な方向に向かって斜め下方に延びている。
【００４６】
さらに、紙幣Ｂの前縁Ｂ３とは反対側の短辺Ｂ１を掻き寄せるための掻き寄せ部材３２は、１つ設けられている。また、紙幣Ｂの長辺の一方を掻き寄せるための掻き寄せ部材３２は、第１貯留部２０に搬送される紙幣Ｂの搬送方向と平行な方向に２以上連設されている。２以上の掻き寄せ部材３２において、平行な方向に対し前側に位置するものほど、低い位置に配されている。本実施の形態では、低い位置に配される掻き寄せ部材３２の方が、高い位置に配される掻き寄せ部材３２より、弾性片３５の描く円周の径が小径になっている。
【００４７】
各掻き寄せ部材３２は、その回転軸３３が第１貯留部２０の周壁２１にあって、弾性片３５の一部が周壁２１の窓を通って第１貯留部２０内に突出するようになっている。また、第１貯留部２０の天井部２７は、紙幣Ｂの搬送方向と平行な方向に向かって斜め下方に傾斜している。
【００４８】
第１貯留部２０と第２貯留部４０とは隣接して配されている。第１貯留部２０の周壁２１において、第２貯留部４０に隣接する側の立壁２４は、第１貯留部２０から第２貯留部４０に通じる連通口２２を開閉可能に構成されている。
【００４９】
図５は、搬送装置の貯留搬送機構の内部を示す側面図であり、落下したウエイト部材を上昇させた時の図である。
立壁２４は第１ガイドロッド２６により上下方向に案内されている。立壁２４は、図５に示すように、落下したウエイト部材８０が上昇すると、その上昇の途中でウエイト部材８０に押し上げられウエイト部材８０と共に上昇することで、連通口２２を開く一方、図１に示すように、上昇したウエイト部材８０が落下すると、その自重によりウエイト部材８０と共に落下することで、連通口２２を閉じるものである。
【００５０】
第２搬送機構５０は、第１貯留部２０内に貯留された紙幣Ｂをそのままの状態で第２貯留部４０に搬送するためのものである。本実施の形態では、第１貯留部２０の周壁２１において、前記立壁２４と対向する周壁２１が第１貯留部２０から第２貯留部４０の方へ移動することで、第１貯留部２０内の紙幣Ｂを第２貯留部４０に押し出すものである。その周壁２１を駆動するための駆動機構は、図示しないが、例えば、スクリュー部材とナット部材とを有し、スクリュー部材が回転することでナット部材が螺進し、ナット部材に固定される周壁２１が駆動されているものである。
【００５１】
第１貯留部２０の周壁２１に、第２貯留部４０内に突出し、紙幣Ｂの周縁に係止して紙幣Ｂの浮き上がりを阻止するための突起部２３が形成されている。本実施の形態では、第１貯留部２０の周壁２１の中の奥壁２５に限り設けられているが、全ての周壁２１に設けられていてもよい。
【００５２】
第２貯留部４０は、該第２貯留部４０内に紙幣Ｂを貯留可能な第１位置（図５に示す位置）と、第２貯留部４０内の紙幣Ｂを落下可能な第２位置（図１に示す位置）とに変位する底部材４１を有している。底部材４１は、一対のプレート４２から成り、各プレート４２の先端縁は櫛歯状に形成されている。底部材４１は、水平状態になる第１位置では一対のプレート４２の櫛歯状の先端部が相互に噛み合って底を形成するようになっている。一対のプレート４２の各基端部は揺動可能に支持され、互いが垂れ下がる第２位置では底が形成されないようになっている。また、図示しないが、一対のプレート４２の各基端部にはセクタギア４７がそれぞれ固設されている。一対のプレート４２は、各セクタギア４７同士が噛合することで、相互に連動して第１位置と第２位置とに変位するものである。
【００５３】
底部材４１は、ウエイト部材８０に連動し、ウエイト部材８０が落下すると第１位置から第２位置に変位し、ウエイト部材８０が上昇すると、第２位置から前記第１位置に変位するものである。第２貯留部４０から落下する紙幣を貯留する第３貯留部６０は、紙幣Ｂが丁度収まる程度の底を有し、上部開口に向かって広がりをもたせたバケット状に形成されている。
【００５４】
底部材４１をウエイト部材８０に連動させる連動機構は、平行リンク機構を有し、平行リンク機構は、プレート４２と一体的に揺動する下部平行リンク４３と、上部平行リンク４４と、下部平行リンク４３と上部平行リンク４４とを連接する連接リンク４５とから成る。上部平行リンク４４の先端部にはローラ４６が設けられている。連動機構は、ウエイト部材８０が上昇の途中でローラ４６を押し上げると、上部平行リンク４４が連接リンク４５を介して下部平行リンク４３を引き上げ、底部材４１のプレート４２が第２位置から第１位置に変位し、ウエイト部材が落下すると、ウエイト部材８０がローラ４６を押し上げることなく、上部平行リンク４４が連接リンク４５を介して下部平行リンク４３を引き上げないで、底部材４１のプレート４２がその自重により第１位置から第２位置に変位するものである。
【００５５】
第３搬送機構７０は、第２ガイドロッド７１と、その第２ガイドロッド７１により上下方向に案内されるスライド部材７２と、スライド部材７２にブラケット７３を介して連結された昇降ベルト７４と、昇降ベルト７４を駆動するモータ７５とから成る。昇降ベルト７４はエンドレスベルトであり、第２ガイドロッド７１に沿って設けられている。
【００５６】
スライド部材７２からは、ウエイト部材８０のアーム部材８１が延ばされ、アーム部材８１の先端部は下方に折曲されており、アーム部材８１の下端部には水平軸回りに揺動可能に抑え部材８２が支持されている。ウエイト部材８０のアーム部材８１に係脱して、ウエイト部材８０を上昇位置に拘束可能にあるいは上昇位置から落下可能にするフック部材８３が設けられている。また、フック部材８３をアーム部材８１に係脱操作するためのソレノイドＳＯＬ１が設けられている。また、前述した立壁２４およびローラ４６の押し上げは、実際にはこのアーム部材８１が行うものである。
【００５７】
図１１は、搬送装置の部分側面図であり、紙幣が第１貯留部に搬送されるように切替機構を切り替えた時の図、図１２は同じく紙幣が第４貯留部に搬送されるように切替機構を切り替えた時の図である。
【００５８】
図３、図１１および図１２に示すように、前述した整列搬送機構１０Ａの側方には貯留搬送機構１０Ｂが配され、整列搬送機構１０Ａの上方には第４貯留部１５０が配されている。整列搬送機構１０Ａは、前記上昇路１２０の途中にあって紙幣Ｂの良札と不良札とを検出する検知部１３０と、上昇路１２０の終端にあって紙幣Ｂの中の良札と不良札とを第１貯留部２０と第４貯留部１５０とに切り替えて貯留可能にする切替機構１４０とを備えている。
【００５９】
前記上昇路１２０の終端を臨んで、紙幣Ｂの良札を第１貯留部２０に導くためのシュータ１６１が設けられている。また、前記上昇路１２０の上部プーリ１２４に対応して切替機構１４０のエジェクトローラ１４１が設けられている。紙幣Ｂの不良札は、上部プーリ１２４とエジェクトローラ１４１との間の隙間を通って第４貯留部１５０に導かれる。第４貯留部１５０は、先に送られた紙幣Ｂの上に新たな紙幣Ｂを重ねるようにして一時的に貯留するものである。
【００６０】
シュータ１６１には、切替機構１４０のエジェクトアーム１４２が揺動可能に支持されている。エジェクトアーム１４２は、シュータ１６１の通路を開くとともに、エジェクトローラ１４１への通路を閉じる第１切替位置（図１１参照）と、シュータ１６１の通路を塞ぐとともに、エジェクトローラ１４１への通路を開く第２切替位置（図１２参照）とに揺動するものである。
【００６１】
エジェクトアーム１４２は、切替アーム１４３、切替リンク１４４、プランジャリンク１４５を介して、ソレノイドＳＯＬ２のプランジャ１４６に連結されている。ソレノイドＳＯＬ２がオンすると、プランジャ１４６が引っ込んで、切替リンク１４４が図１１において反時計方向に揺動し、切替アーム１４３は図１１において時計方向に揺動することで第１切替位置になる。ソレノイドＳＯＬ２がオフすると、プランジャ１４６が出っ張って、切替リンク１４４が図１２において時計方向に揺動し、切替アーム１４３は図１２において反時計方向に揺動することで第２切替位置になる。
【００６２】
次に、前記各項に記載された発明の作用について説明する。
遊技島１の各玉貸し機に投入された紙幣Ｂは、搬送路３を通って島端２の搬送装置１０に搬送され、紙幣取込口１０１を通って整列搬送機構１０Ａの背後から搬入される。
【００６３】
整列搬送機構１０Ａの背後から搬入される紙幣Ｂは、下降路１００中を落下しながら紙幣Ｂの短い方の辺縁である短辺Ｂ１を下方にかつ紙幣Ｂの紙面Ｂ２を側方に向けた姿勢に次第に矯正される。このように落下した紙幣Ｂは、分離路１１０により、短辺Ｂ１を先頭にして一枚ずつ送り出される。送り出された紙幣Ｂは、短辺Ｂ１を上方にかつ紙面Ｂ２を側方に向けた姿勢で上昇路１２０を上昇する。
【００６４】
このように上昇路１２０を上昇した紙幣Ｂは、切替機構１４０のエジェクトローラ１４１が図１１に示す第１切替位置にあれば、シュータ１６１を通って、貯留搬送機構１０Ｂの第１貯留部２０に搬送される。一方、切替機構１４０のエジェクトローラ１４１が図１２に示す第２切替位置にあれば、上部プーリ１２４とエジェクトローラ１４１との間の隙間を通って、第４貯留部１５０に導かれる。
【００６５】
以下、紙幣Ｂが貯留搬送機構１０Ｂの第１貯留部２０に搬送され、第２貯留部４０を経て第３貯留部６０に到るまでの過程を説明する。第１搬送機構３０は、貯留搬送機構１０Ｂから送り込まれる紙幣Ｂを第１貯留部２０に搬送する。搬送される紙幣Ｂは、先に第１貯留部２０に搬送された紙幣Ｂの上に重なるようになる。このようにして、紙幣Ｂは第１貯留部２０に貯留される。
【００６６】
第２搬送機構５０は、第１貯留部２０内の紙幣Ｂを貯留された状態のまま第２貯留部４０に搬送する。このとき、紙幣Ｂの第１貯留部２０内への搬送は一時的に中断され、紙幣Ｂの第２貯留部４０への搬送が終了した後に、再開される。
【００６７】
第２貯留部４０内の紙幣Ｂは、第３搬送機構７０が落下することで、第２貯留部４０から第３貯留部６０に搬送する。具体的には、紙幣Ｂが第２貯留部４０に搬送される前に、ウエイト部材８０を第２貯留部４０の上方に上昇し、ウエイト部材８０を紙幣Ｂと共に自然落下させる。紙幣Ｂの落下時において、貯留された状態から崩れようとする紙幣Ｂをウエイト部材８０が上方から抑えて、紙幣Ｂは貯留された状態のまま第３貯留部６０に落とし込まれる。第３貯留部６０に整然と積み重ねられていく。
【００６８】
次に、紙幣Ｂが貯留搬送機構１０Ｂの第１貯留部２０に搬送され、第２貯留部４０を経て第３貯留部６０に到るまでの過程をさらに詳しく説明する。
図１および図４に示すように、第１搬送機構３０は、第１貯留部２０内に紙幣Ｂを積み重ねていき、この積み重ねられて高くなった紙幣Ｂの上に新たな紙幣Ｂを重ねる必要がある。このとき、紙幣Ｂは、送りローラ３１と従動ローラ３４との間の隙間を通って搬送される。送りローラ３１は中高に形成されていることから、紙幣Ｂの搬送方向に対して先行側の端である紙幣Ｂの前縁Ｂ３の中央部が窪んで、その結果紙幣Ｂの前縁Ｂ３の両端部が上方向に反るようになる。
【００６９】
このように、紙幣Ｂの前縁Ｂ３の両端部が上方に反ったものは、紙幣Ｂの前縁Ｂ３が真っ直ぐなままのものに比して、その断面係数が高くなり、紙幣Ｂの前端部が垂れ下り難くすることができる。それにより、紙幣Ｂが次々に重ねられて高くなった場合でも、高くなった紙幣Ｂに新たな紙幣Ｂの前縁Ｂ３が干渉することなく、新たな紙幣Ｂを次々に重ねることができる。
【００７０】
また、紙幣Ｂが第１貯留部２０に搬送されてくると、第１貯留部２０の周りに配されている掻き寄せ部材３２は、紙幣Ｂの周縁部を下方に掻き寄せて、その紙幣Ｂを先に搬送される紙幣Ｂの上に強制的に重ねるようにする。具体的には、掻き寄せ部材３２の弾性片３５が紙幣Ｂの周縁部に係止し、掻き寄せ部材３２の回転に伴い紙幣Ｂの周縁部を下方に掻き寄せる。
【００７１】
このとき、弾性片３５は復元性を有しているので、紙幣Ｂ以外からの大きな力を受けると変形し、その大きな力を受けないようになると、復元し、再び紙幣Ｂの周縁部に係止可能になる。
【００７２】
また、この掻き寄せ部材３２の回転軸３３は、第１貯留部２０に搬送される紙幣Ｂの搬送方向とほぼ平行な方向に延びていて、厳密には、掻き寄せ部材３２の回転軸３３は、その平行な方向に向かって斜め下方に延ばされている。一方、紙幣Ｂは第１貯留部２０に搬送されていくに従って、その自重で紙幣Ｂの後端部から前縁Ｂ３にかけて斜めに下がる傾向にある。
【００７３】
このようにして、紙幣Ｂおよび掻き寄せ部材３２の回転軸３３が同じように斜め下方に傾斜するので、掻き寄せ部材３２が、紙幣Ｂの周縁部に対してほぼ直角に掛かるようになり、紙幣Ｂの周縁部を的確に掻き寄せることができるようになる。
【００７４】
さらに、第１貯留部２０に搬送される紙幣Ｂの搬送方向と平行な方向に２以上の掻き寄せ部材３２が連設され、平行な方向に対し前側に位置するものほど、低い位置に配されているので、前述したように、紙幣Ｂがその自重で紙幣Ｂの後端部から前縁Ｂ３にかけて斜めに下がりながら第１貯留部２０に搬送されるとき、各掻き寄せ部材３２が紙幣Ｂの周縁部に沿って配されるようになり、掻き寄せ部材３２の弾性片３５が紙幣Ｂの周縁部に確実に掛かるようになり、紙幣Ｂの周縁部を的確に掻き寄せることができる。
【００７５】
また、第１貯留部２０の周壁２１には突起部２３が形成され、その突起部２３が第１貯留部２０内に突出し、紙幣Ｂの周縁に係止して紙幣Ｂの浮き上がりを阻止するようになっている。
【００７６】
図１および図４においては、ウエイト部材８０は落下している状態にある。第１貯留部２０内に紙幣Ｂが整然と貯留され、その枚数が所定枚数になると、あるいは、前回の搬送から所定時間が経過すると、図５および図６に示すように、落下していたウエイト部材８０が上昇し、ウエイト部材８０に立壁２４が引き上げられ、連通口２２が閉じ状態から開き状態になる。また、ウエイト部材８０のアーム部材８１がローラ４６を押し上げ、ウエイト部材８０に底部材４１が連動して第２位置から第１位置になる。さらにウエイト部材８０が上昇すると、ウエイト部材８０のアーム部材８１にフック部材８３が係合して、ウエイト部材８０が上昇した位置に拘束される。
【００７７】
次に、図７および図８に示すように、図示省略した駆動機構が作動し、第１貯留部２０の周壁２１（立壁２４と対向する周壁２１）が第１貯留部２０側から第２貯留部４０側に移動し、それにより、貯留部２０内の紙幣Ｂは貯留された状態のまま隣接する第２貯留部４０に平行移動される。
【００７８】
このとき、第２貯留部４０の底部材４１は、第１位置にあるから、一対のプレート４２が底を形成しており、第２貯留部４０内に紙幣Ｂを貯留可能になり、第１貯留部２０からの紙幣Ｂを一時的に貯留する。
【００７９】
次に、ソレノイドＳＯＬ１が作動して、フック部材８３がアーム部材８１から外れると、ウエイト部材８０が落下可能になる。ウエイト部材８０が落下すると、ウエイト部材８０がローラ４６を押し上げることがなく、各プレート４２が自重により第１位置から第２位置に変位し、紙幣Ｂが落下可能になる。
【００８０】
それにより、紙幣Ｂはウエイト部材８０と共に落下する。落下する紙幣Ｂはウエイト部材８０で上方から抑えられるようになるので、紙幣Ｂは貯留された状態のまま第３貯留部６０に落とし込まれ、図９および図１０に示すように、第３貯留部６０に既に貯留された紙幣Ｂの上に新たな紙幣Ｂが整然と積み重ねられていく。ウエイト部材８０は、例えば、第３貯留部６０内に積み重ねられた紙幣Ｂが少量のとき、その紙幣Ｂが浮き上がらないように抑える機能も果たしている。
【００８１】
図１に示すように、第３貯留部６０の底部６１は下方に傾斜しているから、第３貯留部６０に積み重ねられる紙幣Ｂの中の下端部は、その底部６に沿って傾斜した姿勢になり、下方の両替機１７０側に搬送し易いようになる。
【００８２】
搬送されてくる紙幣Ｂの中には良札と不良札とが存在する。紙幣Ｂが上昇する上昇路１２０の途中にある検知部１３０は、紙幣Ｂの良札と不良札とを検出する。上昇路１２０の終端には切替機構１４０が設けられ、切替機構１４０は、良札と不良札とを第１貯留部２０と第４貯留部１５０とに切り替えて貯留可能にする。
【００８３】
具体的には、ソレノイドＳＯＬ２が作動して、切替機構１４０のエジェクトアーム１４２が図１１に示す第１切替位置に揺動して、紙幣Ｂの良札がシュータ１６１を通って第１貯留部２０に搬送される。紙幣Ｂは第２貯留部４０を経て、第３貯留部６０に貯留されることになり、本実施の形態の如く、第３貯留部６０を両替機１７０に接続することで、良札を循環させて使用することができるとともに、外部から閉じられた紙幣Ｂの搬送路を形成することができる。
【００８４】
一方、ソレノイドＳＯＬ２が作動して、切替機構１４０のエジェクトアーム１４２が図１２に示す第２切替位置に揺動して、紙幣Ｂの不良札が上部プーリ１２４とエジェクトローラ１４１との間の隙間を通って第４貯留部１５０に導かれ、第４貯留部１５０内に貯留される。
【００８５】
なお、前記実施の形態においては、連動機構（リンク機構）を設けて、底部材４１がウエイト部材８０に機械的に連動するものを示したが、底部材４１がウエイト部材８０に電気的に連動するように構成してもよい。例えば、ウエイト部材８０の落下を検出して、底部材４１が駆動されて開放するようにしてもよい。
【００８６】
また、実施の形態では、１種類の紙幣に対応して第１貯留部２０と第４貯留部１５０との一対が設けられたものを示したが、紙幣の種類毎に第１貯留部２０と第４貯留部１５０との一対が設けられ、整列搬送機構１０Ａが、２種以上の紙幣（例えば、１０００円、２０００円、５０００円、１００００円の各種紙幣）を識別可能に構成して、各種の紙幣がその紙幣専用の第１貯留部２０と第４貯留部１５０とのいずれかにそれぞれ送り込まれるようにしてもよい。
【００８７】
さらに、実施の形態では、ウエイト部材８０に立壁２４が連動して連通口２２を開くように構成したことから、紙幣Ｂが第２貯留部４０に搬送される前に、ウエイト部材８０を第２貯留部４０の上方に上昇するものを示したが、ウエイト部材８０は、その落下直前までに紙幣Ｂの上方に上昇しておけばよく、紙幣Ｂが第２貯留部４０に搬送された後に、ウエイト部材８０を第２貯留部４０の上方に上昇するようにしてもよい。また、実施の形態では、立壁２４をウエイト部材８０に機械的に連動させたものを示したが、所定のタイミングで、電動モータが始動すると立壁２４が上昇して連通口２２を開くように構成してもよい。
【００８８】
さらに、本実施の形態では、ウエイト部材８０の上昇ストロークなどの関係で、周壁２１をウエイト部材８０に連動させなかったが、上昇ストロークが十分であれば、ウエイト部材８０の上昇の途中から前記立壁２４を押し上げ、立壁２４が連通口２２を開いた後に、さらにウエイト部材８０が上昇すると、そのウエイト部材８０に連動して周壁２１が第１貯留部２０側から第２貯留部４０側に駆動し、紙幣Ｂを連通口２２を通して第２貯留部４０に搬送するようにしてもよい。
【００８９】
さらに、本実施の形態では、第１貯留部２０と第２貯留部４０とを別々にしたものを示したが、第１貯留部２０と第２貯留部４０とを別々にしないで上部貯留部の一つにまとめて構成してもよい。すなわち、第１搬送機構３０に相当する上部搬送機構が紙幣Ｂを上部貯留部に送り込み、上部貯留部に送り込まれる紙幣Ｂが所定の積み重ね状態になると、上部貯留部の上方に上昇させた第３搬送機構７０に相当する下部搬送機構のウエイト部材８０が落下し、また、上部貯留部の底部が開いて、上部貯留部内の紙幣Ｂと共にウエイト部材８０が第３貯留部６０に相当する下部貯留部へ落下して、紙幣Ｂが下部貯留部に搬送され、その後、上部貯留部の底部が閉じ、上部貯留部が新たな紙幣Ｂを貯留可能になるものである。
【００９０】
【発明の効果】
本発明に係る紙幣の搬送装置によれば、送り込まれる紙幣を第１貯留部に搬送して重ねるように貯留し、貯留された状態のままで紙幣を第２貯留部に搬送し、その紙幣をウエイト部材と共に落下して第３貯留部に搬送するようにしたので、簡単な構成で確実に紙幣を所定の貯留部に搬送することができ、作業性や使い勝手の点で優れたものにすることができる。
【図面の簡単な説明】
【図１】本発明の一実施の形態に係る紙幣の搬送装置の貯留搬送機構の内部を示す側面図である。
【図２】本発明の一実施の形態に係る紙幣の搬送装置の設置状態を示す斜視図である。
【図３】本発明の一実施の形態に係る紙幣の搬送装置の正面図であり、搬送装置の中の整列搬送機構についてはその内部を示す図である。
【図４】本発明の一実施の形態に係る紙幣の搬送装置の貯留搬送機構の内部を示す正面図であり、送り込まれる紙幣を第１貯留部に搬送している時の図である。
【図５】本発明の一実施の形態に係る紙幣の搬送装置の貯留搬送機構の内部を示す側面図であり、落下したウエイト部材を上昇させた時の図である。
【図６】本発明の一実施の形態に係る紙幣の搬送装置の貯留搬送機構の内部を示す正面図であり、落下したウエイト部材を上昇させた時の図である。
【図７】本発明の一実施の形態に係る紙幣の搬送装置の貯留搬送機構の内部を示す側面図であり、紙幣を第１貯留部から第２貯留部に搬送した時の図である。
【図８】本発明の一実施の形態に係る紙幣の搬送装置の貯留搬送機構の内部を示す正面図であり、紙幣を第１貯留部から第２貯留部に搬送した時の図である。
【図９】本発明の一実施の形態に係る紙幣の搬送装置の貯留搬送機構の内部を示す側面図であり、ウエイト部材を紙幣と共に落下させた時の図である。
【図１０】本発明の一実施の形態に係る紙幣の搬送装置の貯留搬送機構の内部を示す正面図であり、ウエイト部材を紙幣と共に落下させた時の図である。
【図１１】本発明の一実施の形態に係る紙幣の搬送装置の部分側面図であり、第１貯留部に紙幣が搬送されるように切替機構を切り替えた時の図である。
【図１２】本発明の一実施の形態に係る紙幣の搬送装置の部分側面図であり、第４貯留部に紙幣が搬送されるように切替機構を切り替えた時の図である。
【符号の説明】
Ｂ…紙幣
Ｂ１…短辺
Ｂ２…紙面
Ｂ３…前縁
ＳＯＬ１…ソレノイド
ＳＯＬ２…ソレノイド
１…遊技島
２…島端
３…搬送路
１０…搬送装置
１０Ａ…整列搬送機構
１０Ｂ…貯留搬送機構
２０…第１貯留部
２１…周壁
２２…連通口
２３…突起部
２４…立壁
２５…奥壁
２６…第１ガイドロッド
２７…天井部
３０…第１搬送機構
３１…送りローラ
３２…掻き寄せ部材
３３…回転軸
３４…従動ローラ
３５…弾性片
４０…第２貯留部
４１…底部材
４２…プレート
４３…下部平行リンク
４４…上部平行リンク
４５…連接リンク
４６…ローラ
４７…セクタギア
５０…第２搬送機構
６０…第３貯留部
７０…第３搬送機構
７１…第２ガイドロッド
７２…スライド部材
７３…ブラケット
７４…昇降ベルト
７５…モータ
８０…ウエイト部材
８１…アーム部材
８２…抑え部材
８３…フック部材
１００…下降路
１０１…紙幣取込口
１１０…分離路
１２０…上昇路
１２１…送りベルト
１２２…従動ローラ
１２４…上部プーリ
１２５…下部プーリ
１３０…検知部
１４０…切替機構
１４１…エジェクトローラ
１４２…エジェクトアーム
１４３…切替アーム
１４４…切替リンク
１４５…プランジャリンク
１４６…プランジャ
１５０…第４貯留部
１６１…シュータ
１７０…両替機
【図１】
0003908488.tif 000002
【図２】
0003908488.tif 000003
【図３】
0003908488.tif 000004
【図４】
0003908488.tif 000005
【図５】
0003908488.tif 000006
【図６】
0003908488.tif 000007
【図７】
0003908488.tif 000008
【図８】
0003908488.tif 000009
【図９】
0003908488.tif 000010
【図１０】
0003908488.tif 000011
【図１１】
0003908488.tif 000012
【図１２】
0003908488.tif 000013